(57)【要約】【課題】  本発明は使用者が最適状態でバー部材をつかんで伝い歩きして、トイレまでの移動や運動能力の維持、内臓機能の活性化、病気、怪我のリハビリ等として有効な自在手摺を得るにある。【解決手段】  寝室入口部近傍の壁面あるいは手摺が設けられた部位の近傍の壁面にほぼ垂直状態で固定されたガイドレールと、このガイドレールにスライド移動可能に取付けられたスライダーと、このスライダーを所定位置で固定することができるロック機構と、前記スライダーに水平方向に回動可能に取付けられた先端部が、前記寝室内のベッドから起き上がった人がつかむことができるバー部材とで自在手摺を構成している。【選択図】  図１
2008057310.tif 000002
【特許請求の範囲】
【請求項１】
寝室入口部近傍の壁面あるいは手摺が設けられた部位の近傍の壁面にほぼ垂直状態で固定されたガイドレールと、このガイドレールにスライド移動可能に取付けられたスライダーと、このスライダーを所定位置で固定することができるロック機構と、前記スライダーに水平方向に回動可能に取付けられた先端部が、前記寝室内のベッドから起き上がった人がつかむことができるバー部材とからなることを特徴とする自在手摺。
【請求項２】
寝室入口部近傍の壁面あるいは手摺が設けられた部位の近傍の壁面にほぼ垂直状態で固定されたガイドレールと、このガイドレールにベルトローラーを介してスライド移動可能に取付けられたスライダーと、このスライダーを所定位置で固定することができるロック機構と、前記スライダーに水平方向に回動可能に取付けられた伸縮可能な先端部が、前記寝室内のベッドから起き上がった人がつかむことができる伸縮バー部材と、この伸縮バー部材の伸縮を所定部位で固定することができる伸縮ロック機構と、前記伸縮バー部材の水平方向の回動を所定部位で固定することができる回動ロック機構とからなることを特徴とする自在手摺。
【請求項３】
寝室入口部近傍の壁面あるいは手摺が設けられた部位の近傍の壁面にほぼ垂直状態で固定されたガイドレールと、このガイドレールにベルトローラーを介してスライド移動可能に取付けられたスライダーと、このスライダーを所定位置で固定することができるロック機構と、前記スライダーに水平方向に回動可能に取付けられた伸縮可能な先端部が、前記寝室内のベッドから起き上がった人がつかむことができる長方形状の枠状に形成された伸縮バー部材と、この伸縮バー部材の先端部寄りの部位に、該伸縮バー部材の下部に収納できるように回動可能に取付けられた伸縮可能な支持脚とからなることを特徴とする自在手摺。
【請求項４】
寝室入口部近傍の壁面あるいは手摺が設けられた部位の近傍の壁面にほぼ垂直状態で固定されたガイドレールと、このガイドレールにスライド移動可能に取付けられたスライダーと、このスライダーを所定位置で固定することができるロック機構と、前記スライダーに水平方向に回動可能に取付けられた水平回動バー、この水平回動バーの先端部に取付けられた所定方向に２個所の枢支部で回動させることができる関節部材、この関節部材の先端部に取付けられた前記寝室内のベッドから起き上がった人がつかむことができる支持バーとからなるバー部材とを備えることを特徴とする自在手摺。
【請求項５】
関節部材は水平回動バーに取付けられる一方の接続部材と、この一方の接続部材の先端部と一端部が指先で締付け固定できるボルトを介して回動可能に取付けられた関節部材本体と、この関節部材本体の他端部と一端部が指先で締付け固定できるボルトを介して回動可能に取付けられ、他端部に支持バーが取付けられる他方の接続部材とからなり、前記一方の接続部材の先端部と前記関節部材本体の一端部のボルトで締付けられる面にはボルトの軸心を中心とした放射状の多数個の係合用凹凸が形成され、前記関節部材本体の他端部と前記他方の接続部材の一端部のボルトで締付けられる面にはボルトの軸心を中心とした放射状の多数個の係合用凹凸が形成されていることを特徴とする特許請求の範囲第４項記載の自在手摺。
【発明の詳細な説明】
【技術分野】
【０００１】
本発明は被介護者、高齢者、身体の具合の悪い人が一人でベッドから起き上がり、安全にトイレ等へ移動することができる自在手摺に関する。
【背景技術】
【０００２】
従来、手摺部が壁面等の保持体に固定された取付け部材に片持ち状態に支持され、手摺部の先端位置を任意の位置に設定し、手摺部の先端位置を伸縮自在に調整したり、手摺部の支持された保持体からの開度を任意に調整することができる起き上がり、転倒防止等のための自在手摺が考えられている。
【０００３】
しかしながら、このように構成された自在手摺は壁面等の保持体に取付け部材を固定的に取付けているため、使用者がベッドより起き上がってつかんだり、伝い歩きする場合の最適な高さ寸法に設定することが難しいとともに、ベッドのクッションや敷き布団の変更により、高さが変更した場合には手摺部の高さ変更が必要となり、取付け部材の壁面等の保持体に取付ける位置を変更しなければならないという大変な作業が必要になるという欠点があった。
【特許文献１】特開２００４−２４４８２３
【発明の開示】
【発明が解決しようとする課題】
【０００４】
本発明は以上のような従来の欠点に鑑み、使用者が最適状態でバー部材をつかんで伝い歩きして、トイレまでの移動や運動能力の維持、内臓機能の活性化、病気、怪我のリハビリ等として有効な自在手摺を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は寝室入口部近傍の壁面あるいは手摺が設けられた部位の近傍の壁面にほぼ垂直状態で固定されたガイドレールと、このガイドレールにスライド移動可能に取付けられたスライダーと、このスライダーを所定位置で固定することができるロック機構と、前記スライダーに水平方向に回動可能に取付けられた先端部が、前記寝室内のベッドから起き上がった人がつかむことができるバー部材とで自在手摺を構成している。
【０００７】
本発明は寝室入口部近傍の壁面あるいは手摺が設けられた部位の近傍の壁面にほぼ垂直状態で固定されたガイドレールと、このガイドレールにベルトローラーを介してスライド移動可能に取付けられたスライダーと、このスライダーを所定位置で固定することができるロック機構と、前記スライダーに水平方向に回動可能に取付けられた伸縮可能な先端部が、前記寝室内のベッドから起き上がった人がつかむことができる伸縮バー部材と、この伸縮バー部材の伸縮を所定部位で固定することができる伸縮ロック機構と、前記伸縮バー部材の水平方向の回動を所定部位で固定することができる回動ロック機構とで自在手摺を構成している。
【０００８】
本発明は寝室入口部近傍の壁面あるいは手摺が設けられた部位の近傍の壁面にほぼ垂直状態で固定されたガイドレールと、このガイドレールにスライド移動可能に取付けられたスライダーと、このスライダーを所定位置で固定することができるロック機構と、前記スライダーに水平方向に回動可能に取付けられた水平回動バー、この水平回動バーの先端部に取付けられた所定方向に２個所の枢支部で回動させることができる関節部材、この関節部材の先端部に取付けられた前記寝室内のベッドから起き上がった人がつかむことができる支持バーとで自在手摺を構成している。
【発明の効果】
【０００９】
以上の説明から明らかなように、本発明にあっては次に列挙する効果が得られる。
【００１０】
（１）寝室入口部近傍の壁面あるいは手摺が設けられた部位の近傍の壁面にほぼ垂直状態で固定されたガイドレールと、このガイドレールにスライド移動可能に取付けられたスライダーと、このスライダーを所定位置で固定することができるロック機構と、前記スライダーに水平方向に回動可能に取付けられた先端部が、前記寝室内のベッドから起き上がった人がつかむことができるバー部材とで構成されているので、スライダーのスライド移動によって、使用者が最適状態で使用することができる高さにバー部材を設定することができる。
したがって、最適状態で使用することができるとともに、使用状態が変化しても、最適に使用できる高さにバー部材を簡単に調整することができる。
【００１１】
（２）前記（１）によって、ベッドから寝室入口への移動をバー部材につかまって行なうことができる。
したがって、自力でのトイレへの移動や運動能力の維持、内臓機能の活性化、病気、怪我のリハビリに利用することができる。
【００１２】
（３）前記（１）によって、スライダーをガイドレールにスライド移動可能に取付けているので、スライダーの位置の設定が容易で、かつロック機構で最適状態に容易にロックすることができる。
【００１３】
（４）請求項２も前記（１）〜（３）と同様な効果が得られるとともに、伸縮バー部材で最適な長さに設定して使用でき、かつ伸縮バー部材を最適な水平方向位置に設定してロックして使用することができる。
【００１４】
（５）請求項３も前記（１）〜（３）と同様な効果が得られる。
【００１５】
（６）請求項４も前記（１）〜（３）と同様な効果が得られるとともに、関節部材の取付けにより、上下方向、水平方向、斜め上下方向のいずれにでも支持バーを回動させて、最適状態で使用することができる。
【００１６】
（７）請求項５も前記（１）〜（３）、（６）と同様な効果が得られるとともに、支持バーを回動位置させる作業が、工具を用いることなく指先だけでできるとともに、回動位置の固定を確実に行なうことができる。
【発明を実施するための最良の形態】
【００１７】
以下、図面に示す本発明を実施するための最良の形態により、本発明を詳細に説明する。
【００１８】
図１ないし図9に示す本発明を実施するための最良の第１の形態において、１は本発明の自在手摺で、この自在手摺1は寝室２の入口３近傍の壁面4にほぼ垂直状態で固定された、リップミゾ形鋼形状あるいは台形状の凹部が形成される形状のガイドレール５と、このガイドレール５にベルトローラー６を介してスライド移動可能に取付けられたスライダー7と、このスライダー7のほぼ中央部の上下部位に形成されたねじ孔８、８と螺合して、前記ガイドレール５を押し圧して該スライダー7を所定位置でロックする操作摘み９、9を形成したボルト１０、１０を用いたロック機構１１と、前記スライダー7に水平方向に回動可能に取付けられた伸縮バー部材１２と、この伸縮バー部材１２の水平方向に回動を所定部位で固定することができる回動ロック機構１３とで構成されている。
【００１９】
前記伸縮バー部材１２は前記スライダー7の上下部の中央部に固定された支持バー１４、１４に回転可能に取付けられた回転軸１５と、この回転軸１５の上下部に後端部が固定されたパイプ材製の一対の固定バー１６、１６と、この一対の固定バー１６、１６の先端部寄りの部位に取付けられた補強筒１７と、前記一対の固定バー１６、１６にスライド移動可能に取付けられたほぼＵ字状のスライドバー１８と、このほぼＵ字状のスライドバー１８を所定部位で固定する伸縮ロック機構１９とで構成され、前記伸縮ロック機構１９は前記補強筒１７のほぼ中央部に形成された長孔２０と、この長孔２０より外方へ突出する操作片２１、２１および補強筒１７の上下部の固定バー１６、１６に形成された透孔２２、２２へ突出する係止片２３、２３を有する一対のロックレバー２４、２４と、この一対のロックレバー２４、２４の係止片２３、２３間に介装された、常時係止片２３、２３が係止方向に付勢される付勢スプリング２５と、前記ほぼＵ字状のスライドバー１８の対向する面に所定間隔で形成された複数対の係止凹部２６、２６とで構成されている。
【００２０】
前記回動ロック機構１３は前記伸縮バー部材１２の回転軸１５のほぼ中央部に固定された歯車２７と、この歯車２７と噛み合うように前記スライダー７に固定された支持板２８の下部位置に枢支ピン２９で枢支されたラック３０と、このラック３０を常時前記歯車２７と噛み合わない方向に付勢する一端部が、該ラック３０の上部位置に取付けられ、他端部が前記支持板２８に取付けられた付勢スプリング３１と、前記支持板２８に回動可能に取付けられた前記ラック３０を歯車２７方向へ押し圧するカム３２を備えた操作レバー３３とで構成されている。
【００２１】
上記構成の自在手摺１はガイドレール５に沿ってスライダー７を、ベルトローラー６を介してスムーズに移動させ、使用者が最適状態で使用できる高さに設定し、ロック機構１１の操作摘み９、９を回転させて、スライダー７が移動しないようにガイドレール５に固定する。
伸縮バー部材１２のスライドバー１８を一対の固定バー１６、１６より伸縮させ、ベッド３４から起き上がった人がつかむあるいは起き上がった時につかめる部位に位置させ、伸縮ロック機構１９および回動ロック機構１３をロックする。
【００２２】
このようにセットされた自在手摺１はベッド３４から起き上がり、自在手摺１のスライドバー１８、固定バー１６、１６につかまりながら歩くと、寝室２の入口３部へ容易に移動することができる。
また、自在手摺１の長さ、高さ、方向をロック機構１１、回動ロック機構１３および伸縮ロック機構１９によって、容易に調整して使用することができる。
[発明を実施するための異なる形態]
【００２３】
次に、図１０ないし図３３に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２４】
図１０ないし図１４に示す本発明を実施するための第２の形態において、前記本発明を実施するための最良の第１の形態と主に異なる点は、スライダー７の上下部のほぼ中央部に一対の軸状の支持バー３５、３５を固定し、該一対の支持バー３５、３５の先端部に水平方向に回動可能に伸縮バー部材１２Ａの一対の固定バー１６、１６を操作レバー３６の回動によって所定部位でロックできるねじ棒３７を用いた回動ロック機構１３Ａと、スライダー７のほぼ中央部に設けたロック機構１１Ａと、伸縮バー部材１２ＡのほぼＵ字状のスライドバー１８の先端部寄りの部位の下部バー１８ａにフック３８で収納できるように回動可能に枢支金具３９で枢支され、下端部に螺合によって伸縮できる伸縮脚座４０が取付けられた伸縮脚４１とを用いた点で、このように構成した自在手摺１Ａにしても、前記本発明を実施するための最良の第１の形態と同様な作用効果が得られる。
【００２５】
図１５ないし図１８に示す本発明を実施するための第３の形態において、前記本発明を実施するための第２の形態と主に異なる点は、一対の支持バー３５、３５と伸縮支持バー部材１２Ｂの一対の固定バー１６、１６との枢支部にテーパリーマ状のピン４２および、該ピン４２と噛み合う凹凸部４３が形成されたテーパー孔４４、４５、４６とからなる、枢支および回動ロック機構１３Ｂとを用いた点で、このような枢支および回動ロック機構１３Ｂを用いることにより、ピン４２を押し上げることにより伸縮バー部材１２Ｂを水平方向に自由に回動でき、ピン４２を押し込むことにより、伸縮バー部材１２Ｂの一対の固定バー１６、１６が固定され、水平方向の回動がロックされる自在手摺１Ｂにでき、前記本発明を実施するための第２の形態と同様な作用効果が得られる。
【００２６】
図１９ないし図２５に示す本発明を実施するための第４の形態において、前記本発明を実施するための最良の第１の形態と主に異なる点は、回転軸１５に固定された水平回動バー４７、４７の先端部に所定回動方向に２個の枢支部４８、４９で回動させることができる関節部材５０を介して支持バー５１、５１を取付けたバー部材５２を用いた点で、このように関節部材５０、５０を介装したバー部材５２を用いて構成した自在手摺１Ｃにしても、前記本発明を実施するための最良の第１の形態と同様な作用効果が得られるとともに、関節部材５０、５０の取付けにより、図２５に示すように上下方向、水平方向、斜め上下方向に支持バー５１、５１を回動位置させて、最適な状態で使用することができる。
なお、関節部材５０は図２１ないし図２４に示すように、水平回動バー４７が挿入され、止めボルト５３で所定回動位置に固定することができる止めボルト５３が取付けられた水平回動バー挿入孔５４を有する一方の接続部材５５と、この一方の接続部材５５の先端部と一端部が指先で締付け固定できる蝶ボルトや蝶ナットを用いたボルト５６を介して回動可能に取付けられた関節部材本体５７と、この関節部材本体５７の他端部と一端部が指先で締付け固定できる蝶ボルトや蝶ナットを用いたボルト５６を介して回動可能に取付けられた他端部に支持バー５１が挿入され、止めボルト５３で所定回動位置に固定することができる止めボルト５３が取付けられた支持バー挿入孔５８を有する他方の接続部材５９とからなり、前記一方の接続部材５５の先端部と前記関節部材本体５７の一端部の前記ボルト５６で締付けられる当接面６０、６０にはボルト５６の軸心を中心とした放射状の多数個の係合用凹凸６１、６１が形成され、前記関節部材本体５７の他端部と前記他方の接続部材５９の一端部の前記ボルト５６で締付けられる当接面６０、６０にはボルトの軸心を中心とした放射状の多数個の係合用凹凸６１、６１が形成されている。
【００２７】
図２６ないし図２８に示す本発明を実施するための第５の形態において、前記本発明を実施するための第４の形態と主に異なる点は、関節部材本体５７Ａの他端部に支持バー５１が挿入され、止めボルト５３で所定位置に固定することができる止めボルト５３が取付けられた支持バー挿入孔５８を形成した点で、このような一方の接続部材５５と関節部材本体５７Ａとからなる関節部材５０Ａを用いて構成した自在手摺１Ｄにしても、前記本発明を実施するための第４の形態と同様な作用効果が得られる。
【００２８】
図２９ないし図３１に示す本発明を実施するための第６の形態において、前記本発明を実施するための第４の形態と主に異なる点は、支持バー５１の先端部寄りの部位に、該支持バー５１の軸心に対して止めボルト５３で回動位置調整することができる枢支金具６２を介して伸縮脚座４０を回転させることにより伸縮する伸縮脚４１を取付けた点で、このような伸縮脚４１を用いて構成した自在手摺１Ｅにしても、前記本発明を実施するための第４の実施の形態と同様な作用効果が得られる。
【００２９】
図３２および図３３に示す本発明を実施するための第７の形態において、前記本発明を実施するための第６の形態と主に異なる点は、支持バー５１一本でバー部材５２Ａを構成し、該バー部材５２Ａを水平方向、上下方向、斜め上下方法等いずれの方向にでも選択的に回動できるようにした点で、このようなバー部材５２Ａを用いて構成した自在手摺１Ｆにしても、前記本発明を実施するための第６の実施の形態と同様な作用効果が得られる。
【００３０】
なお、前記本発明を実施する各形態ではガイドレール５を寝室２の入口３近傍の壁面４に取付けるものについて説明したが、本発明はこれに限らず、寝室２の壁面に固定的な手摺が設置されていれば、該固定的な手摺へベッド３４から導けるように自在手摺１を配置してもよい。
【産業上の利用可能性】
【００３１】
本発明は自在手摺を製造する産業で利用される。
【図面の簡単な説明】
【００３２】
【図１】本発明を実施するための最良の第１の形態の使用状態の説明図。
【図２】本発明を実施するための最良の第１の形態の平面図。
【図３】本発明を実施するための最良の第１の形態の側面図。
【図４】本発明を実施するための最良の第１の形態のガイドレールとスライダーの説明図。
【図５】本発明を実施するための最良の第１の形態のロック機構の説明図。
【図６】本発明を実施するための最良の第１の形態の伸縮バー部材の説明図。
【図７】本発明を実施するための最良の第１の形態の伸縮ロック機構の説明図。
【図８】本発明を実施するための最良の第１の形態の回動ロック機構の説明図。
【図９】本発明を実施するための最良の第１の形態の伸縮バー部材の伸縮状態の説明図。
【図１０】本発明を実施するための第２の形態の平面図。
【図１１】本発明を実施するための第２の形態の側面図。
【図１２】本発明を実施するための第２の形態の伸縮バー部材の説明図。
【図１３】本発明を実施するための第２の形態の回動ロック機構の説明図。
【図１４】本発明を実施するための第２の形態の伸縮脚の説明図。
【図１５】本発明を実施するための第３の形態の平面図。
【図１６】本発明を実施するための第３の形態の側面図。
【図１７】本発明を実施するための第３の形態の伸縮バー部材の説明図。
【図１８】本発明を実施するための第３の形態の枢支および回動ロック機構の説明図。
【図１９】本発明を実施するための第４の形態の平面図。
【図２０】本発明を実施するための第４の形態の側面図。
【図２１】本発明を実施するための第４の形態の接続部材の平面図。
【図２２】本発明を実施するための第４の形態の接続部材の側面図。
【図２３】本発明を実施するための第４の形態の接続部材の分解斜視図。
【図２４】図１９の２４−２４線に沿う断面図。
【図２５】本発明を実施するための第４の形態の支持バーを水平方向に回動させた状態の説明図。
【図２６】本発明を実施するための第５の形態の平面図。
【図２７】本発明を実施するための第５の形態の側面図。
【図２８】本発明を実施するための第５の形態の関節部材の説明図。
【図２９】本発明を実施するための第６の形態の平面図。
【図３０】本発明を実施するための第６の形態の側面図。
【図３１】図３０の３１−３１線に沿う断面図。
【図３２】本発明を実施するための第７の形態の平面図。
【図３３】本発明を実施するための第７の形態の側面図。
【符号の説明】
【００３３】
１、１Ａ、１Ｂ、１Ｃ、１Ｄ、１Ｅ、１Ｆ：自在手摺、
２：寝室、                                        ３：入口、
４：壁面、                                      ５：ガイドレール、            
６：ベルトローラー、                    ７：スライダー、
８：ねじ孔、                                                ９：操作摘み、
１０：ボルト、                                １１、１１Ａ：ロック機構、
１２、１２Ａ、１２Ｂ：伸縮バー部材、
１３、１３Ａ、１３Ｂ：回動ロック機構、
１４：支持バー、                            １５：回転軸、
１６：固定バー、                            １７：補強筒、
１８：スライドバー、                    １９：伸縮ロック機構、
２０：長孔、                                                ２１：操作片、
２２：透孔、                                                ２３：係止片、
２４：ロックレバー、                    ２５：付勢スプリング、
２６：係止凹部、                            ２７：歯車、
２８：支持板、                                ２９：枢支ピン、
３０：ラック、                                ３１：付勢スプリング、
３２：カム、                                                ３３：操作レバー、
３４：ベッド、                                ３５：支持バー、
３６：操作レバー、                                    ３７：ねじ棒、
３８：フック、                                ３９：枢支金具、
４０：伸縮脚座、                            ４１：伸縮脚、
４２：ピン、                                                ４３：凹凸部、
４４、４５、４６：テーパー孔、
４７：水平回動バー、                    ４８、４９：枢支部、
５０、５０Ａ：関節部材、                        ５１：支持バー、
５２、５２Ａ：バー部材、                        ５３：止めボルト、
５４：水平回動バー挿入孔、        ５５：一方の接続部材、
５６：ボルト、                                ５７、５７Ａ：関節部材本体、
５８：支持バー挿入孔、                ５９：他方の接続部材、
６０：当接面、                                ６１：係合用凹凸、
６２：枢支金具。
【図１】
2008057310.tif 000003
【図２】
2008057310.tif 000004
【図３】
2008057310.tif 000005
【図４】
2008057310.tif 000006
【図５】
2008057310.tif 000007
【図６】
2008057310.tif 000008
【図７】
2008057310.tif 000009
【図８】
2008057310.tif 000010
【図９】
2008057310.tif 000011
【図１０】
2008057310.tif 000012
【図１１】
2008057310.tif 000013
【図１２】
2008057310.tif 000014
【図１３】
2008057310.tif 000015
【図１４】
2008057310.tif 000016
【図１５】
2008057310.tif 000017
【図１６】
2008057310.tif 000018
【図１７】
2008057310.tif 000019
【図１８】
2008057310.tif 000020
【図１９】
2008057310.tif 000021
【図２０】
2008057310.tif 000022
【図２１】
2008057310.tif 000023
【図２２】
2008057310.tif 000024
【図２３】
2008057310.tif 000025
【図２４】
2008057310.tif 000026
【図２５】
2008057310.tif 000027
【図２６】
2008057310.tif 000028
【図２７】
2008057310.tif 000029
【図２８】
2008057310.tif 000030
【図２９】
2008057310.tif 000031
【図３０】
2008057310.tif 000032
【図３１】
2008057310.tif 000033
【図３２】
2008057310.tif 000034
【図３３】
2008057310.tif 000035